(57)【要約】      （修正有）【課題】複数のビームでそれぞれ異なる角度で乳房をスキャンして得られた映像を３次元に再構成することにより、乳房の異常有無を容易に把握できるようにする二重照射方式の乳房撮影装置に関する。【解決手段】Ｘ線発生部１０と、放射されるＸ線の円錐形ビームから、一定大きさの複数のビームが放射されるように、複数の透過孔２２が形成された第１コリメータ２０と、透過したそれぞれのビームを反射し、特定エネルギーバンドだけ一定角度ひねって反射されるように濾過する複数の多層フィルタ部３０と、反射された複数のビームによりスキャンされる乳房（Ｂ）を固定する乳房固定部５０と、固定された乳房（Ｂ）をスキャンした複数のビームそれぞれに対して設けられ、前記相違する角度で反射される複数のビームにより獲得された２次元映像を３次元映像として再構成して出力する映像出力部６０と、を備える。【選択図】図２
2008086760.tif 000002
【特許請求の範囲】
【請求項１】
乳房の異常有無を判別するためにＸ線を用いて前記乳房を撮影する乳房撮影装置において、
Ｘ線ビームを生成するＸ線発生部（１０）と、
前記Ｘ線発生部（１０）を通して放射されるＸ線の円錐形ビームから、一定大きさの複数のビームが放射されるように、複数の透過孔（２２）が形成された第１コリメータ（２０）と、
前記第１コリメータ（２０）の複数の透過孔（２２）を透過したそれぞれのビームを反射し、特定エネルギーバンドだけ一定角度ひねって反射されるように濾過する複数の多層フィルタ部（３０）と、
前記多層フィルタ部（３０）で反射された複数のビームによりスキャンされる乳房（Ｂ）を固定する乳房固定部（５０）と、
前記乳房固定部（５０）に固定された乳房（Ｂ）をスキャンした複数のビームそれぞれに対して設けられ、前記相違する角度で反射される複数のビームにより獲得された２次元映像を３次元映像として再構成して出力する映像出力部（６０）と、を備えることを特徴とする二重照射方式の乳房撮影装置。
【請求項２】
前記多層フィルタ部（３０）を通して特定エネルギーバンドが濾過反射される複数のビームが乳房（Ｂ）をスキャンする時、ビーム線幅が維持されるようにする第２コリメータ（４０）をさらに備えることを特徴とする請求項１に記載の二重照射方式の乳房撮影装置。
【請求項３】
前記乳房固定部（５０）は、乳房（Ｂ）の圧縮固定が一定するように固定圧力を制御する圧力センサー（５２）を含むことを特徴とする請求項１に記載の二重照射方式の乳房撮影装置。
【請求項４】
乳房の異常有無を判別するためにＸ線を用いて前記乳房を撮影する乳房撮影方法において、
乳房に一定の圧力を提供して、前記乳房を固定する乳房固定ステップ（Ｓ１０）と、
Ｘ線発生部により生成された円錐形ビームのうち一定大きさの複数のビームだけ透過させ、他のビームは遮断して、複数のビームだけ透過するようにする複数のビーム生成ステップ（Ｓ２０）と、
前記複数のビーム生成ステップ（Ｓ２０）で生成された複数のビームそれぞれを濾過反射して、特定エネルギーバンドの複数のビームが相違する角度でひねって入射するようにする濾過反射ステップ（Ｓ３０）と、
前記濾過反射ステップ（Ｓ３０）で相違する角度でひねって濾過された複数のビームが、固定された乳房をスキャンする乳房スキャンステップ（Ｓ４０）と、
前記乳房スキャンステップ（Ｓ４０）で乳房をスキャンした相違する角度の複数のビームから２次元スキャン映像を獲得し、前記獲得した２次元スキャン映像を幾何的計算により３次元映像として再構成する映像獲得及び出力ステップ（Ｓ５０）と、を含むことを特徴とする二重照射方式の乳房撮影方法。
【請求項５】
前記濾過反射ステップ（Ｓ３０）で濾過された複数のビームそれぞれが乳房をスキャンする時、複数のビームそれぞれのビーム線幅が一定に維持されるように、複数のビームを濾過するビーム線幅維持ステップ（Ｓ３２）をさらに含むことを特徴とする請求項４に記載の二重照射方式の乳房撮影装置。
【発明の詳細な説明】
【技術分野】
【０００１】
本発明は、二重照射方式の乳房撮影装置に関し、より詳細には、Ｘ線発生部から放射されるビームから複数のファンビームを形成し、複数のビームでそれぞれ異なる角度で乳房をスキャンして得られた映像を３次元に再構成することにより、乳房の異常有無を容易に把握し、且つ病変がある場合に前記病変の位置及び大きさを正確に判別できるようにする二重照射方式の乳房撮影装置に関する。
【背景技術】
【０００２】
一般に、乳房Ｘ線撮影法（ｍａｍｍｏｇｒａｐｈｙ）を使用する乳房撮影装置（または「乳房癌診断装置」とも呼ぶ）は、殆ど回転ターゲット（ｒｏｔａｔｉｎｇ  ｔａｒｇｅｔ）型Ｘ線発生装置を使用し、ターゲット物質としては主にモリブデン（ｍｏｌｙｂｄｅｎｕｍ）とロジウム（ｒｈｏｄｉｕｍ）を使用する。また、Ｘ線発生部の両極に与えられる管（ｔｕｂｅ）電圧は最大４０ｋＶｐであり、Ｘ線発生部のフィラメントから放射された電子ビームで前記両極を打撃することで発生するＸ線光源を使用して、診断用映像を撮影する。
【０００３】
この場合、乳房Ｘ線映像において、軟部組織と腫瘍の対比度（ｃｏｎｔｒａｓｔ）の優れたエネルギーバンドである１５〜２０ｋｅＶを除く他のエネルギーバンドは、実際映像に影響を与えられず、特に低エネルギーバンド（８〜１５ｋｅＶ）は殆ど乳房に吸収されて、Ｘ線被爆を増加させ、高エネルギーバンド（２０ｅｋＶ以上）は、コンプトン散乱（ｃｏｍｐｔｏｎ  ｓｃａｔｔｅｒｉｎｇ）による映像のブラー（ｂｌｕｒ）を誘発する。
【０００４】
一方、従来は前記のような低エネルギーバンドによる乳房のＸ線被爆を最小化するために、アルミニウム（Ａｌ）フィルタやモリブデン（ｍｏｌｙｂｄｅｎｕｍ）フィルタ、ロジウム（ｒｈｏｄｉｕｍ）フィルタを使用して、特定部分までのエネルギーバンドを選別した。しかし、この場合、映像に有利な特定Ｘ線、例えば、１７．４８ｋｅＶ（Ｍｏ  Ｔａｒｇｅｔ）の線量そのものが相当フィルタにより低下して、照射時間が増加し、獲得映像の質も向上することができなかった。
【０００５】
なお、近来には特定Ｘ線部分だけを選別するために、シリコン単結晶（Ｓｉ  ｓｉｎｇｌｅ  ｃｒｙｓｔａｌ）によりブラッグ角（Ｂｒａｇｇ  ａｎｇｌｅ）で特定Ｘ線だけの単色光（ｍｏｎｏｃｈｒｏｍａｔｉｃ  ｂｅａｍ）を用いる映像装置に対する開発努力もしている。しかし、この場合、特定エネルギーの大域幅（ｂａｎｄ  ｗｉｄｔｈ）が狭くて、Ｘ線被爆量と散乱（ｓｃａｔｔｅｒｉｎｇ）は減少させることができるが、光子フラックス（ｐｈｏｔｏｎ  ｆｌｕｘ）が極めて微弱なので、長時間にわたって映像獲得を行わなければならないという不便さがあった。
【０００６】
一方、最近は、使用される乳房撮影装置は、通常のＸ線発生部から円錐形（ｓｏｌｉｄ  ａｎｇｌｅ）にＸ線を放射するコリメータを用いて乳房の全領域を照射して映像を獲得するか、特殊なコリメータにより一つのファンビーム（ｆａｎ  ｂｅａｍ）を用いて乳房をスキャンすることで映像を獲得する方法が使用された。
【０００７】
図１は、従来の乳房撮影装置の概念図である。図１を参照すると、円錐形Ｘ線を用いて一回のＸ線スキャンで乳房の全体を撮影する。この方法には、撮影時間を短縮するという長所があるが、撮影とは関係ない低エネルギーバンド（８〜１５ｋｅＶ）のＸ線が乳房に吸収されて、被爆量が増加し、特に解像度が劣るという問題点がある。
【０００８】
上記の問題点を解決するために、ファンビームを用いる乳房撮影装置が提供されている。前記の装置によれば、放射されるＸ線が特殊コリメータを経ることで、撮影に有効なＸ線だけ乳房に照射される。よって、円錐形乳房撮影装置に比べて被爆量が減少し、高解像度の映像が得られるという長所がある。
【０００９】
しかし、従来の乳房撮影装置は、Ｘ線発生部と映像検出部が垂直線上に位置するので、病変が垂直線上に重なる場合、一つの病変として撮影された映像が得られて、病変の位置及び大きさを把握できないという問題点を有する。さらに、病変の２次元的な平面映像を獲得することにより、病変の正確な位置を把握できず、乳房の異常有無だけを確認するという限界を有する。
【００１０】
上記の問題点を克服するために、従来にはＸ線発生部と映像検出部を左側または右側に１５〜３０°ずらして再撮影することで、垂直線上に重なった病変の位置を確認した。しかし、それぞれ独立的に再撮影して映像を獲得するので、病変の位置を把握するためには、複雑な作業過程を通じて、独立的に得られた映像を集められる連関性を探さねばならないという問題点があった。
【００１１】
さらに、病変を確認した後、組織検査のために病変の組織を抽出する場合、最少３回以上の撮影が伴われて、患者の被爆量及び撮影時間が増加する。そして、獲得された２次元映像を基準に病変の位置を直感的に把握するか、病変抽出用器具（ｎｅｅｄｌｅ）を少しずつ挿入しながら追加的に撮影して病変に接近する方法が使用された。
【００１２】
しかし、前記の方法には、長時間の乳房圧縮により患者の苦痛が増大するだけでなく、被爆量の増加により第２の事故を誘発し、乳房撮影装置により得られた２次元映像で病変の位置及び大きさなどを判別するので、診断者の正確な乳房状態を判断する能力を補助できないという問題点がある。
【発明の開示】
【発明が解決しようとする課題】
【００１３】
本発明は、上述の問題点に鑑みてなされたもので、その目的は、Ｘ線発生部から放射されるビームを照射角度の異なる複数のファンビームにして乳房をスキャンすることにより、前記相違する角度で得られた複数の乳房撮影映像から、幾何的な逆変換により数値的な計算で３次元映像を得て、乳房の異常有無及び異常のある時には病変の位置及び大きさを正確に把握して、治療の効率性を極大化できる資料収集が可能で、特に乳房撮影時間の短縮で患者の被爆量及び乳房圧縮による苦痛を最小化できるようにする二重照射方式の乳房撮影装置及びその装置を用いる乳房撮影方法を提供することにある。
【課題を解決するための手段】
【００１４】
上記目的を達成すべく、本発明に係る二重照射方式の乳房撮影装置は、乳房の異常有無を判別するためにＸ線を用いて前記乳房を撮影する乳房撮影装置において、Ｘ線ビームを生成するＸ線発生部と、前記Ｘ線発生部を通して放射されるＸ線の円錐形ビームから、一定大きさの複数のビームが放射されるように、複数の透過孔が形成された第１コリメータと、前記第１コリメータの複数の透過孔を透過したそれぞれのビームを反射し、特定エネルギーバンドだけ一定角度ひねって反射されるように濾過する複数の多層フィルタ部と、前記多層フィルタ部で反射された複数のビームによりスキャンされる乳房を固定する乳房固定部と、前記乳房固定部に固定された乳房をスキャンした複数のビームそれぞれに対して設けられ、前記相違する角度で反射される複数のビームにより獲得された２次元映像を３次元映像として再構成して出力する映像出力部と、を備えることを特徴とする。
【００１５】
本発明において、前記多層フィルタ部を通して特定エネルギーバンドが濾過反射される複数のビームが乳房をスキャンする時、ビーム線幅が維持されるようにする第２コリメータがさらに備えられ、前記乳房固定部には、乳房の圧縮固定が一定するように固定圧力を制御する圧力センサーがさらに備えられることが好ましい。
【００１６】
本発明に係る二重照射方式の乳房撮影方法は、乳房の異常有無を判別するためにＸ線を用いて前記乳房を撮影する乳房撮影方法において、乳房に一定の圧力を提供して、前記乳房を固定する乳房固定ステップと、Ｘ線発生部により生成された円錐形ビームのうち一定大きさの複数のビームだけ透過させ、他のビームは遮断して、複数のビームだけ透過するようにする複数のビーム生成ステップと、前記複数のビーム生成ステップで生成された複数のビームそれぞれを濾過反射して、特定エネルギーバンドの複数のビームが相違する角度でひねって入射するようにする濾過反射ステップと、前記濾過反射ステップで相違する角度でひねって濾過された複数のビームが、固定された乳房をスキャンする乳房スキャンステップと、前記乳房スキャンステップで乳房をスキャンした相違する角度の複数のビームから２次元スキャン映像を獲得し、前記獲得した２次元スキャン映像を幾何的計算により３次元映像として再構成する映像獲得及び出力ステップと、を含むことを特徴とし、前記濾過反射ステップで濾過された複数のビームそれぞれが乳房をスキャンする時、複数のビームそれぞれのビーム線幅が一定に維持されるように、複数のビームを濾過するビーム線幅維持ステップをさらに含むことが好ましい。
【発明の効果】
【００１７】
本発明によれば、Ｘ線発生部から放射されるビームを、照射角度の異なる複数のファンビームにして乳房をスキャンすることにより、前記相違する角度で得られた複数の乳房撮影映像を幾何的な逆変換で数値的に計算して３次元映像が得られる。それによって、乳房の異常有無及び異常がある場合に病変の位置及び大きさを正確に把握して、治療の効率性を極大化する資料収集が可能となる。特に、乳房撮影時間の短縮により、患者が受ける被爆量及び乳房圧縮による苦痛を最小化できるという効果がある。
【発明を実施するための最良の形態】
【００１８】
以下、添付図面に基づいて本発明を詳細に説明する。
【００１９】
図２は、本発明に係る二重照射方式の乳房撮影装置の斜視図であり、図３は、図２の二重照射方式の乳房撮影装置の概念図である。図２及び図３に示すように、乳房撮影装置は、Ｘ線発生部１０と、前記Ｘ線発生部１０により生成された円錐形ビームから一定大きさの複数のビームが放射されるようにする第１コリメータ２０と、前記第１コリメータ２０により放射される複数のビームを相違する角度で放射されるようにする多層フィルタ部３０と、前記多層フィルタ部３０により相違する角度で放射された複数のビームの線幅を一定に維持する第２コリメータ４０と、乳房Ｂを固定する乳房固定部５０と、前記第２コリメータ４０により相違する角度で照射されるビームで乳房Ｂをスキャンし、相違する角度で得られた乳房撮影映像を３次元映像として再構成する映像出力部６０とで構成される。
【００２０】
前記Ｘ線発生部１０は、従来と同様の構成を有し、モリブデン（Ｍｏ）やロジウム（Ｒｈ）をターゲット物質として使用し、過電圧及び過電流条件も同一に設定されるので、既存のＸ線発生部と同一な放射スペクトラム（ｓｐｅｃｔｒｕｍ）を有する。
【００２１】
前記第１コリメータ２０には、Ｘ線発生部１０から放射される円錐形ビームから一定大きさの複数のビームが透過するように、複数の透過孔２２が形成される。前記複数の透過孔２２を透過したビームはファンビーム（ｆａｎ  ｂｅａｍ）形状を有するように、前記複数の透過孔２２はファンビーム形状に形成されることが好ましい。
【００２２】
前記第１コリメータ２０は、鉛やタングステンのうち何れか一つからなり、ファンビーム形状の複数の透過孔２２、すなわち、二つのファンビーム形状の透過孔２２を通して円錐形ビームの一部分だけ透過し、他の部分は患者に照射されないように遮断する。
【００２３】
前記多層フィルタ部３０は、前記第１コリメータ２０を透過した複数のビームそれぞれを濾過して、特定エネルギーバンドだけ一定角度ひねって反射されるようにする。前記特定エネルギーバンドは１５〜２３ｋｅＶであることが好ましい。前記多層フィルタ部３０は、モリブデン（Ｍｏ）やロジウム（Ｒｈ）またはアルミニウム（Ａｌ）のうち何れか一つからなって、低いエネルギーバンドは濾過して、患者の被爆量を減少させる。
【００２４】
この場合、前記多層フィルタ部３０を通して、角度の異なる複数のビーム、すなわち、二つのビームのうち何れか一つは乳房に対して垂直の角度で入射し、他の一つのビームは、垂直線上から一定角度ひねって入射することが好ましい。
【００２５】
前記第２コリメータ４０は、前記多層フィルタ部３０を通して異なる角度で照射される複数のビームが一定の線幅で乳房Ｂに照射されるように維持する。前記第２コリメータ４０は、前記第１コリメータ２０と同一な材質で形成されることが好ましい。
【００２６】
前記第２コリメータ４０には、映像検出部６０の画素（ｐｉｘｅｌ）と同一な大きさの濾過孔４２が形成される。前記濾過孔４２を通して特定エネルギーバンドだけ通過し、他は遮断されて、患者の被爆量が非常に減少する。前記濾過孔４２の幅は４０〜６０μｍで、より好ましくは５０μｍである。
【００２７】
これは、多層フィルタ部３０を通して濾過反射された複数のファンビームが直射されず、円錐形に拡散しながら乳房Ｂに入射することにより、必要なくビームにより乳房Ｂが被爆されることを防止し、鮮明な映像を獲得するためである。
【００２８】
前記乳房固定部５０は、前記第２コリメータ４０を通して入射する特定エネルギーバンドのビームが照射される乳房を支持するパドル（ｐａｄｄｌｅ）を含む。前記乳房固定部５０は、従来の乳房撮影装置の乳房固定部と同一な構成を有し、炭素（ｃａｒｂｏｎ）材質の板形状からなる。乳房を圧縮する圧縮板は、ＰＭＭＡ（Ｐｏｌｙ  Ｍｅｔｈｙｌ  Ｍｅｔａ  Ａｃｒｙｌａｔｅ）や炭素の材質からなることが好ましいが、これに限定されず、ビーム透過が容易で、乳房固定部による映像損失を最小化する材質及び構造であれば使用可能である。
【００２９】
特に、乳房固定部５０は圧力センサー５２をさらに含む。前記圧力センサー５２は、一定圧力以上に乳房固定部５０で乳房Ｂを圧迫しないように制御して、患者の苦痛を最小化する。
【００３０】
前記映像出力部６０は、大きく映像獲得部、映像走査部及び映像処理部に区分される。前記映像獲得部は、前記第２コリメータ４０から照射されたビームの幅に対応して直列に配列されて、前記乳房の走査前の映像と走査後の映像を結合して、完全な乳房の映像を獲得する。前記映像獲得部としては、ＣＣＤまたはＣＭＯＳカメラを用いるデジタル検出器（ｄｉｇｉｔａｌ  ｄｅｔｅｃｔｏｒ）を使用することが好ましく、それによって構成品の価格を最小化し、露出線量の活用度を極大化することができる。
【００３１】
そして、前記映像獲得部は複数のビームそれぞれに対して設けられ、映像の解像度を高めるためにビームと垂直に構成されることが好ましい。
【００３２】
映像走査部（ｓｃａｎｎｉｎｇ  ｓｙｓｔｅｍ）は、複数のファンビーム（ｆａｎ  ｂｅａｍ）が乳房の全領域を走査できるように、電動ステージ（ｓｔａｇｅ）に装着されて乳房の全領域を走査する方式、または複数のＸ線は固定された状態で乳房固定部５０を移動しながら乳房の全領域を走査する方式を選択的に使用する。
【００３３】
映像処理部は、垂直で及び一定角度ひねって照射される複数のビームから得られたそれぞれの映像を用いて、幾何的な逆変換を通じて数値的に解釈して、３次元映像を再構成する。それによって、病変の正確な位置を診断者が把握でき、それにより診断者の判断力を極大化する。
【００３４】
以下、前記のように構成された二重照射方式の乳房撮影装置を用いる乳房撮影方法を説明する。
【００３５】
乳房固定ステップ（Ｓ１０）では、診断しようとする乳房を固定する。乳房固定部５０に構成されたパドルにより、診断しようとする乳房Ｂを圧迫して、固定する。特に、前記乳房固定部５０に設けられた圧力センサー５２の制御により、乳房Ｂに与えられる圧力を一定に維持して、患者が感じる苦痛を最小化する。
【００３６】
もちろん、前記圧力センサー５２は、患者の乳房Ｂの大きさによって、抑える圧量を制御することができる。また、乳房Ｂを固定する前に、Ｘ線発生部１０、第１及び第２コリメータ２０、４０、多層フィルタ部３０、乳房固定部５０及び映像出力部６０は、電動ステージにより初期化セッティングが完了した状態である。
【００３７】
複数のビーム生成ステップ（Ｓ２０）では、Ｘ線発生部１０により生成された円錐形ビームから、一定の大きさを有する複数のビームが生成されるようにする。Ｘ線発生部１０により生成されるＸ線は、通常的に円錐形ビームであり、第１コリメータ２０に形成された複数の透過孔２２を透過するビームの他は遮断され、一定の大きさを有する複数のビームが生成される。
【００３８】
濾過反射ステップ（Ｓ３０）では、前記複数のビーム生成ステップ（Ｓ２０）で生成された複数のビームが乳房の該当領域に照射されるようにその幅を調節する。また、特定エネルギーバンドだけ一定角度ひねって反射する。第１コリメータ２０を通して照射された複数のビームは、前記複数のビームそれぞれに対して設けられた多数のフィルタ部３０に入射する。
【００３９】
前記多層フィルタ部３０は、入射した複数のビームが乳房Ｂの該当領域に照射できるようにその線幅を調節し、特に特定エネルギーバンド（１５〜２３ｋｅＶ）のビームだけを反射し、低いエネルギーバンドは濾過して患者の被爆量を減少させ、一定角度ひねる反射角を有するように反射する。
【００４０】
前記多層フィルタ部３０を通して反射される複数のビームのうち何れか一つは乳房Ｂに垂直に入射し、他の一つは一定角度ひねる状態で入射するようにして、前記乳房Ｂに入射するビームの透視映像をそれぞれ獲得する。
【００４１】
ビーム線幅維持ステップ（Ｓ３２）では、前記濾過反射ステップ（Ｓ３０）により一定角度ひねって入射する複数のビームの線幅を、映像獲得可能な画素に維持する。多層フィルタ部３０を通して反射される複数のビームは、第２コリメータ４０に入射し、それにより前記複数のビームは映像撮影部６０の画素大きさとなり、乳房Ｂに透視されるビーム線幅が一定に維持される。
乳房スキャンステップ（Ｓ４０）では、前記ビーム線幅維持ステップ（Ｓ３２）により照射線幅が一定になった複数のビームは乳房に入射し、乳房をスキャンする。第２コリメータ４０を通して照射線幅が一定に維持される複数のビームは、乳房固定部５０に固定された乳房Ｂに入射して、乳房Ｂの全領域をスキャンする。
【００４２】
図３は、図２の二重照射方式の乳房撮影装置の概念図である。図３に示すように、乳房に三つの病変ａ１、ａ２、ａ３  が形成されており、前記病変ａ１と病変ａ２は垂直線上に位置し、病変ａ３は病変ａ２と水平一側に形成されたと仮定する。第２コリメータ４０を通して照射される複数のビームは、乳房Ｂの一側から他側に移動しながら、ファンビームの幅の分ずつ乳房Ｂをスキャンする。
【００４３】
そして、垂直線上に照射されるビームは、垂直線上に重なった病変ａ１と病変ａ２のうち病変ａ１の位置及び垂直断面の大きさをスキャンし、また、一側に移動しながら病変ａ３の一及び垂直断面の大きさをスキャンする。
【００４４】
一定角度ひねって照射されるビームは、一定角度ひねった状態の乳房断面をスキャンしながら病変ａ１〜ａ３の位置及び大きさをスキャンする。
映像獲得及び出力ステップ（Ｓ５０）では、前記乳房スキャンステップ（Ｓ４０）で複数のビームが乳房をスキャンし、前記乳房をスキャンした複数のビームそれぞれで獲得した２次元映像を３次元映像として再構成して、乳房に病変があるかを判別し、病変がある場合には病変の大きさ及び位置を出力する。
【００４５】
前記乳房固定部５０に固定された乳房Ｂをスキャンした複数のビームそれぞれに対して映像出力部６０が位置し、複数のビームそれぞれで獲得した２次元映像を前記映像出力部６０で幾何的な逆変換で数値的に解釈して、３次元映像として再構成する。
【００４６】
図４は、本発明に係る二重照射方式の乳房撮影装置により撮影された病変の映像を再構成した概念図である。図４に示すように、垂直線上のファンビームにより病変ａ１と病変ａ３の２次元映像が獲得され、一定角度ひねったファンビームにより病変ａ１〜ａ３の２次元映像が獲得される。前記それぞれの２次元映像を幾何的な数値的逆変換により３次元映像として再構成することにより、病変の位置及び大きさまで判別することが可能となる。それによって診断者は診断及び施術の範囲を患者に性格に説明することができる。
【００４７】
特に、一回の撮影で、患者が受ける被爆量及び乳房が押し付けられる苦痛を最小化することができる。
【００４８】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００４９】
【図１】従来の乳房撮影装置の概念図である。
【図２】本発明に係る二重照射方式の乳房撮影装置の斜視図である。
【図３】図２の二重照射方式の乳房撮影装置の概念図である。
【図４】本発明に係る二重照射方式の乳房撮影装置により撮影された病変の映像を再構成した概念図である。
【図５】本発明に係る二重照射方式の乳房撮影方法のフローチャートである。
【符号の説明】
【００５０】
１０                  Ｘ線発生部
２０                  第１コリメータ
３０                  多層フィルタ部
４０                  第２コリメータ
５０                  乳房固定部
５２                  圧力センサー
６０                  映像出力部
【図１】
2008086760.tif 000003
【図２】
2008086760.tif 000004
【図３】
2008086760.tif 000005
【図４】
2008086760.tif 000006
【図５】
2008086760.tif 000007